(57)【要約】【課題】キャップ本体の上面周縁部と蓋体の周壁下端面との間に、例えば、キャップ内の高圧空気を排出する通気路の一部としての隙間を設けたキャップであり、温水シャワーでの洗浄、冷却の後に、この隙間に溜まってしまう温水を簡単な操作で取り除くことができるキャップを提案する。【解決手段】容器体Ｂに嵌着するキャップ本体Ａ１と、該キャップ本体Ａ１にヒンジ５０を介して開閉可能に設けた蓋体Ａ２とを備え、蓋体周壁３０下面とキャップ本体Ａ１上面周縁部との間に隙間ｄを備えた合成樹脂製のキャップであって、蓋体周壁３０の下端外周にエアーの案内段部３６を設けたことを特徴とする。エアーの案内段部３６は、例えば、蓋体周壁３０の下面周縁部で構成することができ、また、蓋体周壁外周下端部に突設した環状の突条下面で構成することができる。【選択図】図１
2014000975.tif 000002
【特許請求の範囲】
【請求項１】
容器体（Ｂ）に嵌着するキャップ本体（Ａ１）と、該キャップ本体（Ａ１）にヒンジ（５０）を介して開閉可能に設けた蓋体（Ａ２）とを備え、蓋体周壁（３０）下面とキャップ本体（Ａ１）上面周縁部との間に隙間（ｄ）を備えた合成樹脂製のキャップであって、蓋体周壁（３０）の下端外周にエアーの案内段部（３６）を設けたことを特徴とするキャップ。
【請求項２】
隙間（ｄ）が、容器体（Ｂ）への打栓時に蓋体（Ａ２）内外を連通する通気路の一部を構成する請求項１記載のキャップ。
【請求項３】
キャップ本体（Ａ１）が、容器体口頸部（１００）外周に嵌合する装着筒（１０）の上端より延設した頂板（１１）中央部に注出筒（１３）を立設し、注出筒（１３）内の頂板（１１）を除去可能に構成し、注出筒（１３）外周に環状の係止突部（２０）を立設してなり、蓋体（Ａ２）が、キャップ本体（Ａ１）の係止突部（２０）の外周面に嵌合し、シールする係合部（３４）を、周壁（３０）の内周下端部に環状に凹設し、周壁（３０）の上端より延設した頂壁（３１）から、下端部を注出筒（１３）の内周に嵌合させるシール筒部（３２）を垂設してなる請求項１又は請求項２に記載のキャップ。
【請求項４】
通気路は、容器体（Ｂ）への打栓時に蓋体（Ａ２）をキャップ本体（Ａ１）に対して相対下降させ、係止突部（２０）と係合部（３４）とのシール部を変形させることで連通させてなる請求項２又は請求項３に記載のキャップ。
【請求項５】
係止突部（２０）の上面或いは係止突部（２０）の上面に嵌合当接する係合部（３４）の頂面に、少なくとも一つの凹溝（３５）を凹設した請求項３又は請求項４に記載のキャップ。
【請求項６】
隙間（ｄ）は、キャップ本体（Ａ１）上面周縁部或いは蓋体周壁（３０）下面に間隔をあけて複数突設した隙間形成用の凸部（２２）により形成される請求項１乃至請求項５のいずれか１項に記載のキャップ。
【請求項７】
隙間（ｄ）は、キャップ本体（Ａ１）の上面周縁部或いは蓋体周壁（３０）の下面を、対向面側と離間するテーパ面として構成することで形成した請求項１乃至請求項５のいずれか１項に記載のキャップ。
【請求項８】
エアーの案内段部（３６）を蓋体周壁（３０）の下面周縁部で構成した請求項１乃至請求項７のいずれか１項に記載のキャップ。
【発明の詳細な説明】
【技術分野】
【０００１】
本発明はキャップに関し、詳しくは、容器体に嵌着固定されるキャップ本体と、キャップ本体に対して開閉可能にヒンジ連結された蓋体とを備えたキャップに関する。
【背景技術】
【０００２】
上記キャップ本体及び蓋体を備えたキャップであって、殺菌のため加熱された収容液を充填する容器体に対して、収容液充填後キャップを打栓して容器体内部を殺菌し、次いで容器体外部より温水シャワーで洗浄、冷却することは従来より行われている。
【０００３】
また、この様なキャップにおいて、キャップの打栓時に、上方から押圧することにより蓋体をキャップ本体に対して下降させるとともに、蓋体を変形させ、キャップ内から外部への空気の通気路を形成させて空気をキャップ外に排出し、キャップの打栓終了時に、蓋体の復元力で、蓋体をキャップ本体に対して上昇させることによりキャップ内から外部への空気の通気路が閉塞され、キャップ内が僅かに負圧になるようにしたキャップも提案されている。（例えば、特許文献１参照）
【０００４】
特許文献１に記載のキャップに於けるキャップ本体は、注出筒と、容器体口頸部に嵌着される係合筒部とを備え、係合筒部の上部には、上部外周に膨出部を設けた蓋係合部が突設されており、また、蓋体は、頂壁と内筒と周壁とを備え、周壁下端内周には、キャップ本体の蓋係合部の上面と外周に係合する上内面と側内面とから形成された係合部が設けられており、係合部の側内面下方には、蓋係合部の膨出部の下方周面と係合する係合突部が設けられている。
【先行技術文献】
【特許文献】
【０００５】
【特許文献１】特開２００７−０９９３１７号公報
【発明の概要】
【発明が解決しようとする課題】
【０００６】
上記した従来のキャップでは、キャップ本体の上面周縁部と蓋体の周壁下端面との間に、通気路の一部としての隙間を設けることも可能であり、この様な隙間の存在で空気の排出をより良好に行えるが、温水シャワーでの洗浄、冷却の後に、この隙間に温水が溜まってしまうという不都合が生じる虞がある。
【０００７】
本発明は上記した点に鑑みてなされたもので、簡単な操作で溜まったシャワー水を取り除くことができるキャップを提案する。
【課題を解決するための手段】
【０００８】
第１の手段として、以下の通り構成した。即ち、容器体Ｂに嵌着するキャップ本体Ａ１と、該キャップ本体Ａ１にヒンジ５０を介して開閉可能に設けた蓋体Ａ２とを備え、蓋体周壁３０下面とキャップ本体Ａ１上面周縁部との間に隙間ｄを備えた合成樹脂製のキャップであって、蓋体周壁３０の下端外周にエアーの案内段部３６を設けた。
【０００９】
第２の手段として、以下の通り構成した。即ち、前記第１の手段に於いて、隙間ｄが、容器体Ｂへの打栓時に蓋体Ａ２内外を連通する通気路の一部を構成する。
【００１０】
第３の手段として、以下の通り構成した。即ち、前記第１の手段又は第２の手段に於いて、キャップ本体Ａ１が、容器体口頸部１００外周に嵌合する装着筒１０の上端より延設した頂板１１中央部に注出筒１３を立設し、注出筒１３内の頂板１１を除去可能に構成し、注出筒１３外周に環状の係止突部２０を立設してなり、蓋体Ａ２が、キャップ本体Ａ１の係止突部２０の外周面に嵌合し、シールする係合部３４を、周壁３０の内周下端部に環状に凹設し、周壁３０の上端より延設した頂壁３１から、下端部を注出筒１３の内周に嵌合させるシール筒部３２を垂設してなる。
【００１１】
第４の手段として、以下の通り構成した。即ち、前記第２の手段又は第３の手段に於いて、通気路は、容器体Ｂへの打栓時に蓋体Ａ２をキャップ本体Ａ１に対して相対下降させ、係止突部２０と係合部３４とのシール部を変形させることで連通させてなる。
【００１２】
第５の手段として、以下の通り構成した。即ち、前記第３の手段又は第４の手段に於いて、係止突部２０の上面或いは係止突部２０の上面に嵌合当接する係合部３４の頂面に、少なくとも一つの凹溝３５を凹設した。
【００１３】
第６の手段として、以下の通り構成した。即ち、前記第１の手段乃至第５の手段のいずれかの手段に於いて、隙間ｄは、キャップ本体Ａ１上面周縁部或いは蓋体周壁３０下面に間隔をあけて複数突設した隙間形成用の凸部２２により形成される。
【００１４】
第７の手段として、以下の通り構成した。即ち、前記第１の手段乃至第５の手段のいずれかの手段に於いて、隙間ｄは、キャップ本体Ａ１の上面周縁部或いは蓋体周壁３０の下面を、対向面側と離間するテーパ面として構成することで形成した。
【００１５】
第８の手段として、以下の通り構成した。即ち、前記第１の手段乃至第７の手段のいずれかの手段に於いて、エアーの案内段部３６を蓋体周壁３０の下面周縁部で構成した。
【発明の効果】
【００１６】
本発明によれば、蓋体周壁３０下面とキャップ本体Ａ１上面周縁部との間に隙間ｄを備えており、また、蓋体周壁３０の下端外周にエアーの案内段部３６を設けているので、殺菌のため加熱された収容液を充填した容器体Ｂに対して打栓した後、温水シャワー等により洗浄、冷却を行った際に隙間ｄにシャワー等が付着残存しても、送風によりそれらのシャワー液を取り除くことができるという特徴がある。この際、エアーの案内段部３６の存在で、エアーの送風を効率よく、適所に送ることができ、シャワー液の吹き飛ばしをより確実に行える。
【００１７】
また、隙間ｄが、容器体Ｂへの打栓時に蓋体Ａ２内外を連通する通気路の一部を構成する場合には、殺菌のため加熱された収容液を容器体Ｂに充填後キャップＡを打栓した際に、加熱により内圧上昇した蓋体Ａ２内の空気を通気路を介して外部へ排出することができ、蓋体Ａ２がむやみに開いてしまうという虞はない。
【００１８】
また、キャップ本体Ａ１が、容器体口頸部１００外周に嵌合する装着筒１０の上端より延設した頂板１１中央部に注出筒１３を立設し、注出筒１３内の頂板１１を除去可能に構成し、注出筒１３外周に環状の係止突部２０を立設してなり、蓋体Ａ２が、キャップ本体Ａ１の係止突部２０の外周面に嵌合し、シールする係合部３４を、周壁３０の内周下端部に環状に凹設し、周壁３０の上端より延設した頂壁３１から、下端部を注出筒１３の内周に嵌合させるシール筒部３２を垂設してなる場合には、簡単な構造でキャップ内を密閉構造とすることができ、その開封操作も注出筒１３内の頂板１１の除去により簡単に行える利点がある。
【００１９】
通気路は、容器体Ｂへの打栓時に蓋体Ａ２をキャップ本体Ａ１に対して相対下降させ、係止突部２０と係合部３４とのシール部を変形させることで連通させてなる場合には、キャップＡの打栓時に係止突部２０と係合部３４とのシール解除を容易に行えて通気路の連通を確実に行え、また、その後蓋体Ａ２の弾性復元により蓋体Ａ２内を速やかに密閉状態とすることができ、蓋体Ａ２内への温水シャワーの浸入をより確実に防止できる利点があり、温水シャワーの付着を隙間ｄ内に止めることができる。しかも、隙間ｄ内に付着した温水シャワーは上記した如く容易に取り除くことが可能である。
【００２０】
係止突部２０の上面或いは係止突部２０の上面に嵌合当接する係合部３４の頂面に、少なくとも一つの凹溝３５を凹設した場合には、打栓時に於ける通気路の形成をより容易に行える利点がある。
【００２１】
隙間ｄは、キャップ本体Ａ１上面周縁部或いは蓋体周壁３０下面に間隔をあけて複数突設した隙間形成用の凸部２２により形成される場合には、所定幅の隙間を確実に形成することができて、キャップ打栓時の蓋体Ａ２内の空気の良好な排出が可能である。また、隙間ｄの存在で使用時にキャップ本体Ａ１上面周縁部に付着した液が閉蓋時に周囲に飛び散ることを防止する効果もある。
【００２２】
隙間ｄは、キャップ本体Ａ１の上面周縁部或いは蓋体周壁３０の下面を、対向面側と離間するテーパ面として構成することで形成した場合には、同様に所定幅の隙間を確実に形成することができて、キャップ打栓時の蓋体Ａ２内の空気の良好な排出が可能であり、また、同様に隙間ｄの存在で使用時にキャップ本体Ａ１上面周縁部に付着した液が閉蓋時に周囲に飛び散ることを防止する効果もある。
【００２３】
エアーの案内段部３６を蓋体周壁３０の下面周縁部で構成した場合には、特別大きな構造の変化なく形成でき、外観上の変化も少なく構成できる利点がある。
【図面の簡単な説明】
【００２４】
【図１】キャップの前後方向中心線に沿う縦断面図である。（第１実施例）
【図２】キャップの左右方向中心線に沿う縦断面図である。（第１実施例）
【図３】キャップの開蓋状態の平面図である。（第１実施例）
【図４】キャップの前後方向中心線に沿う縦断面図である。（第２実施例）
【図５】キャップの左右方向中心線に沿う縦断面図である。（第２実施例）
【発明を実施するための形態】
【００２５】
以下、本発明の形態を図面を参照して説明する。
【００２６】
図１はキャップの第１実施例を示すもので、キャップＡは、キャップ本体Ａ１と、蓋体Ａ２とを、ヒンジ５０により連結して、全体を合成樹脂により一体に形成している。尚、説明の便宜上、図１に於ける左方を前部、右方を後部、手前を右部、奥部を左部として説明する。その他の図もこれに準じる。
【００２７】
キャップ本体Ａ１は、装着筒１０の上端縁より頂板１１を延設した下端開口の有頂筒状をなし、装着筒１０を容器体Ｂの口頸部１００外周に嵌合させ、また、頂板１１の裏面周縁部から垂設したシール筒１２を口頸部１００内周上端部に密嵌して、容器体Ｂに装着する。
【００２８】
また、頂板１１の上面中央部に注出筒１３を起立している。注出筒１３内面の対向位置にはそれぞれ平行する一対の突条１４を突設している。また、注出筒１３内の頂板１１は下方へドーム状に陥没しており、陥没部分の周縁部下面に薄肉の易切断部１５を環状に凹設している。また、易切断部１５内の頂板１１上面には支柱を介してプルリング１６を起立しており、使用に当たって、このプルリング１６を掴んで引き上げる等することで、易切断部１５を切断して注出筒１３内の頂板１１を開口し、容器体Ｂ内の液の注出を可能とする。
【００２９】
また、注出筒１３の外方の頂板１１上面周縁部に環状の係止突部２０を起立している。係止突部２０は下半部外周を大径部２０ａに、上半部外周を小径部２０ｂにそれぞれ形成し、大径部２０ａと小径部２０ｂとの間を、上昇するに従って縮径するテーパ面２０ｃとして構成している。また、小径部２０ｂの外周上端部には係止突条２１を環状に突設している。この係止突部２０は、蓋体Ａ２を係止する役割を果たすとともに、蓋体Ａ２の周壁とで蓋体Ａ２内外をシールする。また、蓋体Ａ２の後述する係合部とで、キャップＡの打栓時に連通する通気路を形成する。
【００３０】
係止突部２０外周の頂板１１上面（キャップ本体Ａ１の上面周縁部）には、隙間形成用の凸部２２を突設しており、キャップ本体Ａ１の上面周縁部と、該周縁部と対向位置の蓋体Ａ２の周壁３０下面との間に、前記通気路の一部を構成する隙間ｄを形成する。隙間形成用の凸部２２は、図３に示す如く、等間隔に７箇所突設され、それぞれ平面視角形状をなしている。尚、この隙間形成用の凸部２２はキャップ本体Ａ１上面に設ける場合に限らず、蓋体Ａ２の周壁３０下面に設けることも可能である。
【００３１】
蓋体Ａ２は、周壁３０の上端縁より頂壁３１を延設した下端開口の有頂筒状をなし、周壁３０の後部下端部と、キャップ本体Ａ１の装着筒１０後部上端部とをヒンジ５０を介して回動可能に連結している。
【００３２】
蓋体Ａ２の頂壁３１裏面中央部からは、注出筒１３に嵌合させるシール筒部３２を垂設している。シール筒部３２は下端部を注出筒１３の内周上端部に気密に嵌合させている。このシール筒部３２は注出筒１３の各突条１４の上端より若干上方に、下端が位置する如く嵌合されており、キャップＡを容器体Ｂに打栓する際にキャップ本体Ａ１に対して蓋体Ａ２が下降して、シール筒部３２が各突条１４に乗り上げ、注出筒１３内外を連通する如く構成している。
【００３３】
また、周壁３０の内周下端部に係合部３４を設けている。係合部３４は、キャップ本体Ａ１の係止突部２０の外周面に嵌合し、シールするもので、係止突部２０の上面に当接嵌合する下向き段部形態の頂面と、係止突部２０の外周面に嵌合する周面とを備えた環状の凹部形態をなす。図示例に於いて係合部３４は、その周面が、係止突部２０の大径部２０ａ外周に気密に嵌合する大径凹部３４ａと、大径凹部３４ａ上縁より上方に傾斜縮径するテーパ凹部３４ｂと、テーパ凹部３４ｂの上端縁より上方に延設し、係止突条２１の先端縁を気密に当接する小径凹部３４ｃとを備え、頂面は係止突部２０の上面に当接嵌合している。また、小径凹部３４ｃの内周下部に係止突条２１に乗り越え係合する係合突条３８を環状に突設している。また、係合部３４の頂面は上記した如く、係止突部２０の上面に当接嵌合しているが、この頂面の内外を連通する放射状の凹溝３５を凹設しており、この部分での内外の通気が可能に構成している。また、周壁３０の前面下部より前方へ指掛け用の突起３７を突設している。尚、放射状の凹溝３５は係合部３４の頂面に代えて、係止突部２０の上面に凹設することも可能である。
【００３４】
本発明では、蓋体周壁３０の下端外周にエアーの案内段部３６を設けている。図示例ではエアーの案内段部３６は、蓋体周壁３０の下端部をキャップ本体Ａ１の装着筒１０外周より外方へ突出することで、その下面外周縁に突設している。尚、このエアーの案内段部３６は、図示例のものに限らず、蓋体周壁３０の下端部外面に環状の突部を突設してその下面をエアーの案内段部としても良い。
【００３５】
上記の如く構成したキャップＡは、例えば、殺菌用に加熱した収容液を充填した容器体Ｂに上方より打栓する。その際、口頸部１００外周に装着筒１０を嵌着し、シール筒１２を口頸部１００内周上端部に嵌着して固定されたキャップ本体Ａ１に対して、蓋体Ａ２が常態より下方へ移行した状態となり、シール筒部３２が各突条１４に乗り上げて注出筒１３内外が連通する。また、係止突部２０に対して係合部３４が外方下方へずれた状態となり、ここに隙間が生じて連通し、キャップ本体Ａ１上面周縁部と蓋体周壁３０下端との隙間ｄを介して内外を連通する通気路が連通し、その結果、加熱による内圧上昇されたキャップＡ内の空気が通気路を介して外部に排出される。
【００３６】
次いで、蓋体Ａ２の弾性復元力により蓋体Ａ２が上昇して常態に復元し、係止突部２０と係合部３４が適正に嵌合してこの部分で内外がシールされる。次いで、温水シャワーにより容器を洗浄、冷却する。しかる後エアーを噴射して隙間ｄ内に付着したシャワー水を取り除くことができる。
【００３７】
図４及び図５は第２実施例を示し、図１の例に於いて、係止突部２０と係合部３４との形態、隙間ｄの形態が相違する例を示す。本例では、係止突部２０は上下外面が同径で外周上部に係止突条２１を環状に突設している。また、係合部３４は、周面下部に係止突条２１に乗り越え係合する係合突条３８を環状に突設した環状の凹部形態をなし、係合部３４の頂面を係止突部２０の上面に気密に当接している。また、隙間ｄは、キャップ本体Ａ１の上面周縁部に、対向面側である蓋体周壁３０下面と、外方に行くに従って離間するテーパ面として構成することで形成している。その他の構成は図１の例と同様であるため、説明を省略する。尚、この場合も、蓋体周壁３０下面を、対向面側と、外方に行くに従って離間するテーパ面として構成することも可能である。
【００３８】
この場合も、例えば、殺菌用に加熱した収容液を充填した容器体Ｂに上方より打栓する。その際、口頸部１００外周に装着筒１０を嵌着し、シール筒１２を口頸部１００内周上端部に嵌着して固定されたキャップ本体Ａ１に対して、蓋体Ａ２が常態より下方へ移行した状態となり、シール筒部３２が各突条１４に乗り上げて注出筒１３内外が連通する。また、係止突部２０に対して係合部３４が外方下方へずれた状態となり、ここに隙間が生じて連通し、キャップ本体Ａ１上面周縁部と蓋体周壁３０下端との隙間を介して内外を連通する通気路が連通し、その結果、加熱による内圧上昇されたキャップＡ内の空気が通気路を介して外部に排出される。
【００３９】
次いで、蓋体Ａ２の弾性復元力により蓋体Ａ２が上昇して常態に復元し、係止突部２０と係合部３４が適正に嵌合してこの部分で内外がシールされる。次いで、温水シャワーにより容器を洗浄、冷却する。しかる後エアーを噴射して隙間ｄ内に付着したシャワー水を取り除くことができる。
【符号の説明】
【００４０】
Ａ：キャップ
Ａ１：キャップ本体
１０…装着筒、11…頂板、１２…シール筒、１３…注出筒、１４…突条、
１５…易切断部、１６…プルリング、２０…係止突部、２０ａ…大径部、
２０ｂ…小径部、２０ｃ…テーパ面、２１…係止突条、２２…隙間形成用の凸部、
ｄ…隙間
Ａ２：蓋体
３０…周壁、３１…頂壁、３２…シール筒部、３４…係合部、３４ａ…大径凹部、
３４ｂ…テーパ凹部、３４ｃ…小径凹部、３５…凹溝、
３６…エアーの案内段部、３７…指掛け用の突起、３８…係合突条
５０…ヒンジ
Ｂ：容器体
１００…口頸部
【図１】
2014000975.tif 000003
【図２】
2014000975.tif 000004
【図３】
2014000975.tif 000005
【図４】
2014000975.tif 000006
【図５】
2014000975.tif 000007